(57)【要約】【課題】屋根等に掛けたはしごの横滑りを防止することができ、また既存のはしごに着脱容易なはしごアタッチメントを提供する。【解決手段】２段のステップ１３の中空部分１４に締結部材２１，２２を貫通させて、左支柱１１にアームベース２３を固定し、右支柱１２にアームベース２４を固定する。アームベース２３，３４からアーム２５，２６を延ばし、アーム２５，２６の先端に、揺動自在な揺動アーム２７，２８を取り付けてゴムシート４５を貼る。はしご１０を掛けると、揺動アーム２７，２８が屋根Ｆに倣って傾斜した状態で接触するので、横滑りを防止できる。【選択図】図４
0003124496.tif 000002
【実用新案登録請求の範囲】
【請求項１】
左側と右側とにそれぞれ配設された左支柱及び右支柱と、前記左支柱及び前記右支柱とを左右方向に貫通するとともに上下方向に複数段配設された中空のステップと、を備えたはしごに使用するはしごアタッチメントにおいて、
少なくとも２段分の前記ステップの中空部分をそれぞれ貫通する締結部材と、
前記締結部材によって前記左支柱及び前記右支柱にそれぞれ着脱自在に締結されるアームベースと、
それぞれの前記アームベースにそれぞれ基端部が取り付けられて先端側が前方に延びるアームと、
それぞれの前記アームの先端部に、左右方向の軸を基準に揺動自在に取り付けられて被接触物に倣って面状に接触する揺動アームと、を備える、
ことを特徴とするはしごアタッチメント。
【請求項２】
前記揺動アームは、被接触物の傾斜方向に長い接触部と、前記接触部から前記被接触物とは反対側に突設された揺動中心とを有する、
ことを特徴とする請求項１に記載のはしごアタッチメント。
【請求項３】
前記揺動アームは、前記左支柱及び右支柱を立てた状態でかつ被接触物に接触しない状態において、前記揺動アームが前記被接触物に倣って傾斜するように前記揺動中心が前記揺動アームの重心に対して偏心している、
ことを特徴とする請求項２に記載のはしごアタッチメント。
【請求項４】
前記アームベースは、前記締結部材が貫通する上下方向に長い長孔を有する、
ことを特徴とする請求項１ないし３のいずれか１項に記載のはしごアタッチメント。
【請求項５】
前記締結部材は、前記左支柱と前記右支柱との間隔が異なる複数種の前記はしごに対して、その前記左支柱と前記右支柱にそれぞれ前記アームベースを締結することができる、
ことを特徴とする請求項１ないし４のいずれか１項に記載のはしごアタッチメント。
【請求項６】
前記接触部は、前記被接触物と接触する部分に摩擦係数の高い部材が取り付けられている、
ことを特徴とする請求項１ないし５のいずれか１項に記載のはしごアタッチメント。
【請求項７】
前記締結部材が、前記ステップの前記中空部分及び前記アームベースを貫通する棒状部材と、前記棒状部材にワンタッチで着脱されて前記アームベースを固定し、また固定解除する締結具と、を有する、
ことを特徴とする請求項２ないし６のいずれか１項に記載のはしごアタッチメント。
【考案の詳細な説明】
【技術分野】
【０００１】
本考案は、既存のはしごに対して簡単に取り付けられるとともに、使用時のはしごの安定性を向上させることができるはしごアタッチメントに関する。
【背景技術】
【０００２】
はしごは、左の支柱と、右の支柱と、これらにまたがって配設された複数段のステップによって構成されている。
【０００３】
このようなはしごを使用して、例えば、一般的な住宅の屋根に上がる場合、まず、支柱の下端を地面に置き、全体を傾斜させて立て、上端側を屋根の端部、例えば、瓦の下端や樋に掛ける。その後、使用者が順々にステップを上がって屋根に上る。この場合、はしごは、その上端側が瓦や樋に対して線状に接触しているだけであるので、上端側が横滑りしやすい。すなわち、はじめにはしごを掛けたときには、一見、安定しているように見えても、実際、地面が傾斜していたり、凹凸したりして、足場が悪いような場合は、作業者がステップを順次、上がっていくに連れて、はしごと作業者とを含めた重心が順次に上がって不安定になるため、上端側が横滑りして転倒するおそれがある。また、樋に荷重がかかるため、樋を破損することもある。
【０００４】
そこで、例えば、特許文献１には、はしごの足場となる地面に傾斜や凹凸が有った場合でも、はしごを安定させた状態で、立てることができるはしご台安定器が提案されている。
このものは、はしごの下端側に、望遠鏡に用いるような、所定の長さや固定位置に開くことができる補助の脚部を取り付けるようにしている。つまり、左の支柱及び右の支柱のほかに、脚部よってもはしごを支えるようにしている。
【特許文献１】特公２００２−５４０３２８号公報
【考案の開示】
【考案が解決しようとする課題】
【０００５】
しかしながら、上述の従来技術によると、はしごを立てる地面に、脚部を開くためのスペースを確保する必要があり、狭い場所では使用することができないといった問題があった。また、例えば、作業者がはしごの上部に上がった状態で、横滑りが発生するような場合、地面に立てた脚部で踏ん張ることは困難であった。また、樋を損傷するという問題に対してはほとんど効果がないという問題もあった。さらに、既存のはしごに簡単に取り付けることができないという問題もあった。
【０００６】
そこで、本考案は、はしごを立てるために地面に余分なスペースを確保する必要がなく、横滑りを確実に防止することができ、また、樋等を損傷することもなく、さらに、既存のはしごにも簡単に着脱することができるはしごアタッチメントを提供することを目的とするものである。
【課題を解決するための手段】
【０００７】
請求項１に係る考案は、左側と右側とにそれぞれ配設された左支柱及び右支柱と、前記左支柱及び前記右支柱とを左右方向に貫通するとともに上下方向に複数段配設された中空のステップと、を備えたはしごに使用するはしごアタッチメントに関する。この考案に係るはしごアタッチメントは、少なくとも２段分の前記ステップの中空部分をそれぞれ貫通する締結部材と、前記締結部材によって前記左支柱及び前記右支柱にそれぞれ着脱自在に締結されるアームベースと、それぞれの前記アームベースにそれぞれ基端部が取り付けられて先端側が前方に延びるアームと、それぞれの前記アームの先端部に、左右方向の軸を基準に揺動自在に取り付けられて被接触物に倣って面状に接触する揺動アームと、を備える、ことを特徴としている。
【０００８】
請求項２に係る考案は、請求項１に係るはしごアタッチメントにおいて、前記揺動アームは、被接触物の傾斜方向に長い接触部と、前記接触部から前記被接触物とは反対側に突設された揺動中心とを有する、ことを特徴としている。
【０００９】
請求項３に係る考案は、請求項２に係るはしごアタッチメントにおいて、前記揺動アームは、前記左支柱及び右支柱を立てた状態でかつ被接触物に接触しない状態において、前記揺動アームが前記被接触物に倣って傾斜するように前記揺動中心が前記揺動アームの重心に対して偏心している、ことを特徴としている。
【００１０】
請求項４に係る考案は、請求項１ないし３のいずれか１項に係るはしごアタッチメントにおいて、前記アームベースは、前記締結部材が貫通する上下方向に長い長孔を有する、ことを特徴としている。
【００１１】
請求項５に係る考案は、請求項１ないし４のいずれか１項に係るはしごアタッチメントにおいて、前記締結部材は、前記左支柱と前記右支柱との間隔が異なる複数種の前記はしごに対して、その前記左支柱と前記右支柱にそれぞれ前記アームベースを締結することができる、ことを特徴としている。
【００１２】
請求項６に係る考案は、請求項１ないし５のいずれか１項に係るはしごアタッチメントにおいて、前記接触部は、前記被接触物と接触する部分に摩擦係数の高い部材が取り付けられている、ことを特徴としている。
【００１３】
請求項７に係る考案は、請求項２ないし６のいずれか１項に記載のはしごアタッチメントにおいて、前記締結部材が、前記ステップの前記中空部分及び前記アームベースを貫通する棒状部材と、前記棒状部材にワンタッチで着脱されて前記アームベースを固定し、また固定解除する締結具と、を有する、ことを特徴としている。
【考案の効果】
【００１４】
請求項１の考案によると、アームが取り付けられたアームベースを２本の締結部材によって左支柱及び右支柱に締結することができる。アームベースの先端部には、左右方向の軸を基準に揺動自在な揺動アームが設けてあり、この揺動アームは被接触物（例えば、屋根の瓦等）に倣って面状に接触するので、はしごが横ずれすることがない。また、従来技術と異なり、はしごを立てるための余分なスペースを確保する必要がない。また、揺動アームが被接触物に接触するので、はしごの上端が樋等に接触するのを避けることができ、樋等を損傷することがない。さらに、ステップが中空状のものであれば、任意のはしごに簡単に着脱することができる。
【００１５】
請求項２の考案によると、揺動中心を基準に揺動する揺動アームは、接触部を被接触物に接触させることができるので、はしごを安定させることができる。
【００１６】
請求項３の考案によると、揺動アームは、被接触物に倣って傾斜するように、揺動中心が重心に対して偏心しているので、被接触物に接触する際、円滑に接触する。
【００１７】
請求項４の考案によると、アームベースは、締結部材が貫通する上下方向に長い長孔を有しているので、２つの締結部材の間隔を調整することができ、したがって、ステップの段差が異なる複数種のはしごに対して、締結部材によりアームベースを取り付けることができる。つまり、ステップの段差が異なる複数種のはしごに対してもはしごアタッチメントを容易に適用することができる。
【００１８】
請求項５の考案によると、左支柱と右支柱との間隔が異なる複数種のはしごに対して、はしごアタッチメントを適用することができる。
【００１９】
請求項６の考案によると、接触部は、被接触部と接触する部分に、摩擦係数の高い部材が取り付けられているので、一層、滑りにくくなる。
【００２０】
請求項７の考案によると、はしごに対するはしごアタッチメントの着脱が一層、容易となる。
【考案を実施するための最良の形態】
【００２１】
以下、図面に沿って、本考案の実施の形態について説明する。
＜実施の形態１＞
【００２２】
図１〜図４を参照して、本考案に係るはしごアタッチメント２０について説明する。このうち図１は、はしごアタッチメント２０の右半分を示す斜視図である。また、図２は、はしごアタッチメント２０の右側面図である。また、図３は、アームベース２３，２４単体を示す図であり、（ａ）は右側面図、（ｂ）は正面図、（ｃ）は下面図である。図４は、はしごアタッチメント２０をはしご１０に取り付けた状態を説明する図である。
【００２３】
図４に示すように、はしごアタッチメント２０を取り付けるはしご１０は、左支柱１１と、右支柱１２と、これらの間に設けられた複数のステップ１３とを備えている。各ステップ１３は、中空に形成されていて、この中空部分１４は、左支柱１１の左側面１１ａ及び右支柱１２の右側面（不図示）に露出されている。
【００２４】
はしごアタッチメント２０は、締結部材２１，２２と、左のアームベース２３と、右のアームベース２４と、左のアーム２５と、右のアーム２６と、左の揺動アーム２７と、右の揺動アーム２８とを備えている。なお、締結部材２１，２２は同形である。また、左支柱１１側に配設される左のアームベース２３，左のアーム２５，左の揺動アーム２７と、右支柱１２側に配設される右のアームベース２４，右のアーム２６，右の揺動アーム２８とは、この順にそれぞれ同形であり、はしご１０の左右方向の中心を基準として左右対称に配置されている。なお、同形であるものについては、一方を説明して、他方は適宜説明を省略する。
【００２５】
締結部材２１は、図１に示すように、ステップ１３の中空部分１４を左右方向に貫通して、さらに左支柱１１及び右支柱１２の外側に突出するボルト３０を有している。ボルト３０は、一方の端部に、方形のワッシャ３１が固定されていて、他方の端部には、雄ねじ３２が螺刻されている。この雄ねじ３２には、方形のワッシャ３３が嵌められ、さらにナット３４が螺合されている。ここで、ボルト３０の長さ及び雄ねじ３２の長さを長めに形成しておけば、左支柱１１と右支柱との間隔が異なる複数種のはしご１０に対して、その左支柱１１及び右支柱１２にそれぞれアームベース２３，２４を容易に取り付けることができる。つまり、はしごアタッチメント２０を複数種のはしご１０に容易に適応させることができる。なお、締結部材２２もこの締結部材２１と同様である。
【００２６】
図１，図２，図３に示すように、右のアームベース２４は、断面「Ｃ」字形の溝形部材によって形成されている。図３に示すように、右のアームベース２４の上端側には円形の透孔３５が、また下端側には上下方向に長い長孔３６が穿設されている。なお、左のアームベース２３もこの右のアームベース２４と同様である。左のアームベース２３は、上述の左支柱１１の左側面１１ａ（図４参照）に配置され、また右のアームベース２４は、右支柱１２の右側面に配置され、それぞれの透孔３５にボルト３０が貫通され、またそれぞれの長孔３６にボルト３０が貫通されて、各ボルト３０にワッシャ３３を嵌めた後、ナット３４を螺合することで、固定される。ここで、下端側には上下方向に長い長孔３６が形成されているので、ステップ１３，１３間の高さが異なるはしご１０に対しても適宜に対応することができる。
【００２７】
図１，図２に示すように、右のアーム２６は、断面「Ｃ」字形の溝形部材によって形成されている。右のアーム２６は、上述の右のアームベース２４に対して交差するように（本実施の形態では直交する。）配置されており、基端部３７は、２本のボルト３８，３９によって、右のアームベース２４の長手方向（上下方向）のほぼ中央に固定されている。一方、右のアーム２６の先端部４０は、右のアームベース２４に対して前方に延びるように配置されていて、この先端部４０に、次に説明する右の揺動アーム２８が揺動自在に支持される。なお、左のアーム２７もこの右のアーム２６と同様である。
【００２８】
図１，図２に示すように、右の揺動アーム２８は、揺動中心となる支持部４１と、この支持部４１と一体の接触部４２とを有している。支持部４１は、三角形状に形成されていて、ボルト４３が左右方向に貫通するとともに、このボルトにナット４４が螺合されることで、上述の右のアーム２６の先端部４０に取り付けられている。この際、ナット４４は、少し緩めに螺合されることで、揺動アーム２８がボルト４３を揺動中心として揺動動作ができるようになっている。接触部４２は、屋根瓦等の被接触物の傾斜方向に沿った方向に長く形成されている。本実施の形態ではこの接触部４２のうちの被接触物に対応する面４２ａは、長方形状に形成されていて、摩擦係数が高い部材としてゴムシート４５が貼着されている。なお、左の揺動アーム２７もこの右の揺動アーム２８と同様である。
【００２９】
上述構成のはしごアタッチメント２０は、締結部材２１，２２のナット３４を取り外して、ボルト３０をステップ１３の中空部分１４から引き抜くことで、簡単にはしご１０から取り外すことができる。また、この逆に動作により、はしご１０に取り付けることができる。つまり、はしご１０に対する着脱が容易である。さらに、既存のはしご１０に対して、何の特別な加工を施すことなく、着脱することが可能である。
【００３０】
上述構成のはしごアタッチメント２０は、以下のように作用する。なお、以下では、樋Ｔ（図４の二点鎖線参照）の付いた、被接触物としての屋根Ｆ（図４の二点鎖線参照）にはしご１０を掛ける場合を例に説明する。
【００３１】
まず、図４に示すように、はしご１０を地面（不図示）に立てたときに、左右の揺動アーム２７，２８が樋Ｔよりも少し高い位置に配置されるように、はしごアタッチメント２０をはしご１０に取り付ける。その後、図４に示すように、はしご１０を垂直に立て、上端側を徐々に屋根Ｆ側に倒していく。これにより、左右の揺動アーム２７，２８は、樋Ｔの上方を通り過ぎて、ゴムシート４５，４５を屋根Ｆに接触させる。このとき、左右の揺動アーム２７，２８は、揺動自在に取り付けられているので、屋根Ｆの傾斜に倣うようにして、ゴムシート４５がそのほぼ全面を屋根Ｆの表面に接触させる。また、はしご１０の左支柱１１及び右支柱１２と、屋根Ｆに接触する揺動アーム２７，２８との間には、左右のアーム２５，２６により、適宜な間隔が確保されているので、はしご１０の左支柱１１及び右支柱１２が樋Ｔに当たることはない。このため、従来技術とは異なり、樋Ｔを破損させるようなことはない。また、本実施の形態では、はしご１０は、その上端側で、揺動アーム２７，２８等によってしっかりと支えられているので、はしご１０が横滑りするようなことはない。
＜実施形態２＞
【００３２】
本実施の形態では、上述のはしごアタッチメント２０における左の揺動アーム２７に代えて、図５（ａ），（ｂ）に示すような左の揺動アーム５０を使用した。ここで、図５（ａ）は、左の揺動アーム２７の左側面図であり、（ｂ）は正面図である。この揺動アーム５０は、三角形状の支持部５１，接触部５２，ゴムシート５３を有する点は、上述の揺動アーム２７と同様である。
【００３３】
これに対し、図５に示す揺動アーム５０は、揺動アーム２７とは異なり、支持部５１の中心Ｃから接触部５２の先端５２ａまでの距離Ｌ１よりも、後端５２ｂまでの距離Ｌ２が大きくなるようにしている。さらに、揺動中心となるボルトが貫通する透孔５４の位置も、中心Ｃから先端側にずらしている。つまり、本実施の形態では、揺動中心となる透孔５４の位置を、揺動アーム５０の重心よりも前側に積極的にずらすようにしている。これにより、アームによって揺動アーム５０を揺動自在に支持したときに、揺動アーム５０は距離Ｌ２が長い後側が下方に下がって、接触部５２及びゴムシート５３が前上がりに傾斜する。この傾斜方向は、屋根の傾斜方向と同じになるので、はしご１０を立てて、揺動アーム５０を屋根の表面に接触させる際に、円滑に接触することになる。なお、右の揺動アームについても、上述の左の揺動アーム５０と左右の使い勝手が異なる以外は同様である。
＜実施形態３＞
【００３４】
図６〜図９を参照して、本実施の形態を説明する。このうち図６は、棒状部材６５に締結具６０を装着した状態を説明する図である。図７，図８，図９は、この順に、固定部材６１、操作アーム６２、連結部材６３を説明する図である。
【００３５】
これらの図に示すように、締結部材５９は、棒状部材６５と締結具６０とを有している。棒状部材６５は、一方の端部に、図１に示すボルト３０と同様のワッシャ３１（図６〜図９では不図示）が固定されており、他方の端部には、図６に示すように、複数の環状溝Ｍが形成されている。これら環状溝Ｍは、後述する操作アーム６２の一部が係合されることで、操作アーム６２の不要な移動を確実に防止するためのものである。棒状部材６５は、中間部をはしご１０（図４参照）のステップ１３の中空部１４に貫通させるとともに、両端部近傍を左右のアームベース２３，２４に貫通させるものである。
【００３６】
締結具６０は、固定部材６１と、操作アーム６２と、連結部材６３と、引っ張りばね６４とを有している。このうち、固定部材６１は、側面図である図７（ａ）、及び正面図である図７（ｂ）に示すように、内側に図６に示す棒状部材６５の外径よりも少し大きい内径を有する環状部６１ａを有している。また、基端側には、ピンＰ（図６参照）が挿入されるピン穴６１ｂと、図６に示す引っ張りばね６４の一方の端部が係合される透孔６１ｃが設けてある。
【００３７】
操作アーム６２は、側面図である図８（ａ）、及び正面図である図８（ｂ）に示すように、内側に図６に示す棒状部材６５の外径よりも少し大きい内径を有する環状部６２ａを有している。また、基端側には、ピン部６２ｂが形成されており、先端側にはユーザが操作時に把持するための把手６２ｃが設けてある。
【００３８】
連結部材６３は、側面図である図９（ａ）、及び上面図である図９（ｂ）に示すように、両端部に形成された二股部６３ａ，６３ｂが中間部の連結部６３ｃによって連結されている。一方の二股部６３ａには、ピン孔６３ｄが穿設されている。同様に他方の二股部６３ｂには、ピン孔６３ｅが穿設されている。連結部材６３は、一方の二股部６３ａの間に、上述の固定部材６１の基端部が挿入され、さらにそれぞれのピン孔６３ｄ，６１ｂにピンＰが挿入されることで、固定部材６１に対して相対的に揺動自在に連結される。また、連結部材６３は、他方の二股部６３ｂの間に、上述の操作アーム６２の基端部が挿入されるとともに、ピン孔６３ｅに、操作アーム６２のピン部６２ｂが挿入されることで、操作アーム６２に対して相対的に揺動自在に連結される。
【００３９】
図６に示すように、固定部材６１と操作アーム６２との間には、連結部材６３の少し上方において引っ張りばね６４が掛け渡されている。この引っ張りばね６４により、固定部材６１と操作アーム６２とは、それぞれの基端側の連結部材６３との揺動中心を基準として、相互に内側に寄せられる方向に付勢されている。つまり、締結具６０は、棒状部材６５に装着した状態においては、固定部材６１と操作アーム６２とは、基端側に対して先端側が少し近づいて「ハ」字状となって、それぞれの環状部６１ａ，６２ａが斜めに棒状部材６５に当接している。このとき、操作アーム６２は、いずれかの環状溝Ｍに係合させるようにする。この状態で、固定部材６１に対して、これを図６中の右方に押す力が作用した場合には、締結具６０全体は、この力に抗して棒状部材６５に対して移動することはない。これに対し、ユーザが操作アーム６２を図６の点線で示す位置に起立させた場合には、ユーザは、軽い力で締結具６０を棒状部材６５に沿って移動させることができる。
【００４０】
締結具６０は、このような特性を利用することで、本願考案において、棒状部材６５とともに、左右のアームベースを固定するための、ワンタッチで着脱できる締結部材５９として使用することができる。
【図面の簡単な説明】
【００４１】
【図１】はしごアタッチメントの右半分を示す斜視図である。
【図２】はしごアタッチメントの右側面図である。
【図３】アームベース単体を示す図であり、（ａ）は右側面図、（ｂ）は正面図、（ｃ）は下面図である。
【図４】はしごアタッチメントをはしごに取り付けた状態を説明する図である。
【図５】実施の形態２の左の揺動アームを示す図であり、（ａ）は左側面図、（ｂ）は正面図である。
【図６】棒状部材に締結具を装着した状態を説明する図である。
【図７】（ａ）は固定部材の側面図、（ｂ）は正面図である。
【図８】（ａ）は操作アームの側面図、（ｂ）は正面図である。
【図９】（ａ）は連結部材の側面図、（ｂ）は上面図である。
【符号の説明】
【００４２】
１０        はしご
１１        左支柱
１２        右支柱
１３        ステップ
１４        中空部分
２０        はしごアタッチメント
２１，２２，５９
締結部材
２３，２４  アームベース
２５，２６  アーム
２７，２８，５０
揺動アーム
４０        アームの先端部
４１，５１  支持部（揺動中心）
４２，５２  接触部
４５，５３  ゴムシート（摩擦係数の高い部材）
６０        締結具
６５        棒状部材
Ｆ          屋根（被接触物）
【図１】
0003124496.tif 000003
【図２】
0003124496.tif 000004
【図３】
0003124496.tif 000005
【図４】
0003124496.tif 000006
【図５】
0003124496.tif 000007
【図６】
0003124496.tif 000008
【図７】
0003124496.tif 000009
【図８】
0003124496.tif 000010
【図９】
0003124496.tif 000011